(57)【特許請求の範囲】
【請求項１】
側溝ブロックの両側壁内面に止水板の両側と係合する嵌合部を対設し、それらの嵌合部に係合する止水板の底部に開口面積を規定する脚部を突設すると共に、該止水板の底部に突設された脚部の突出量を調整可能としたことを特徴とする流量抑制型側溝ブロック。
【請求項２】
止水板を木材質、合成樹脂質又は空洞状金属材などの軽量部材によって形成すると共に、浮上防止手段を設けたことを特徴とする請求項１に記載の流量抑制型側溝ブロック。
【請求項３】
側溝ブロックの底面又は側面の何れか一方又は双方に通孔又は開口部若しくはポーラスコンクリートなどによる通水層を形成して外部粒状材充填層との間で通水を図ったことを特徴とする請求項１〜２の何れか１つに記載の流量抑制型側溝ブロック。
【請求項４】
請求項１〜３の何れか１つに記載の側溝ブロックを連設し、各ブロック毎又は複数個のブロック毎に止水板を底部に開口面積規定条件下に設定したことを特徴とする流量抑制型側溝水路。
【請求項５】
側溝ブロックの底面又は側壁の何れか一方又は双方に開口部又はポーラスコンクリート層を形成し、ブロックの外側粒状材充填層との間において通水を図るようにしたことを特徴とする請求項４に記載の流量抑制型側溝水路。
【発明の詳細な説明】
【０００１】
【発明の属する技術分野】
本発明は流量抑制型側溝ブロックおよび流量抑制型側溝水路に係り、側溝ブロック水路における流量を抑制し、集中豪雨時などにおける水路ないし河川などの氾濫を防止し、また定常状態の流水を確保して水路利用系の安全ないし有効利用を図ろうとするものである。
【０００２】
【従来の技術】
水路を側溝ブロックによって構成することについては従来から広く実施されて来たところであるが、従来の一般的な側溝ブロック水路においては水を流すことを主体としたものであり、このようなブロック水路が集中降雨時などにおいて氾濫することを防ぐには分岐した放水路を形成し、あるいは貯水池を設けて増加した水を貯留するようなことが行われている。
【０００３】
【発明が解決しようとする課題】
上記したような従来の側溝ブロック水路においては何れにしても課題がある。即ち、単なる側溝ブロック水路においては降雨条件などによって流水量が常時変化することとならざるを得ず、そうした流水を利用する上においても安定した利用をなし得ない。
【０００４】
また異常豪雨時などに即応すべく放流するようにしたものにおいてはその分岐放水路についても設計考慮し、しかも豪雨時においては放流に関し管理することが必要で、そうした管理が実際上非常に困難なこととならざるを得ない。しかも放流によって下流域に氾濫を発生する可能性が高い。
【０００５】
更に貯水池を設けて豪雨時の水を受入れ貯留するものにおいては相当の広さを有する土地と特別な工事を必要とし、しかもそれらを操作し管理するための要員が必要であることから何れにしてもコスト高となり、また必ずしも安定した管理をなすことが必ずしも容易でない。
【０００６】
【課題を解決するための手段】
本発明は上記したような従来技術における課題を解消することについて検討を重ね、底部において所定の制限された流水条件を確保し、またこの流水条件を適宜に変更して設定し得る止水板を側溝ブロック内に設けることにより、適切な流量抑制を図って集中豪雨時などにおける水路の流量を制限して下流域における氾濫を制御すると共に安定且つ継続した流量を維持してその利用安定化を図ることに成功したものであって、以下の如くである。
【０００７】
（１）  側溝ブロックの両側壁内面に止水板の両端と係合する嵌合部を対設し、それらの嵌合部に係合する止水板の底部に開口面積を規定する脚部を突設したことを特徴とする流量抑制型側溝ブロック。
【０００８】
（２）  止水板底部に突設された脚部の突出量を調整可能としたことを特徴とする前記（１）項に記載の流量抑制型側溝ブロック。
【０００９】
（３）  側溝ブロックの両側壁内面に止水板の両端と係合する嵌合部材を一体的に対設し、それらの嵌合部材に係合する止水板を底部に開口部を形成して設けたことを特徴とする流量抑制型側溝ブロック。
【００１０】
（４）  止水板を木材質、合成樹脂質または空洞状金属材などの軽量部材によって形成すると共に、浮上防止手段を設けたことを特徴とする前記（１）〜（３）項の何れか１つに記載の流量抑制型側溝ブロック。
【００１１】
（５）  側溝ブロックの底面または側面の何れか一方または双方に通孔または開口部若しくはポーラスコンクリートなどによる通水層を形成して外部粒状材充填層との間で通水を図ったことを特徴とする前記（１）〜（４）項の何れか１つに記載の流量抑制型側溝ブロック。
【００１２】
（６）  前記（１）〜（５）項の何れか１つに記載の側溝ブロックを連設し、各ブロック毎または複数個のブロック毎に止水板を底部に開口面積規定条件下に設定したことを特徴とする流量抑制型側溝水路。
【００１３】
（７）  側溝ブロックの底面または側壁の何れか一方または双方に開口部またはポーラスコンクリート層を形成し、ブロックの外側粒状材充填層との間において通水を図るようにしたことを特徴とする前記（６）項に記載の流量抑制型側溝水路。
【００１４】
【発明の実施の形態】
上記したような本発明によるものの具体的な実施態様について説明すると、本発明においては図１に示すようなＵ型側溝１、図２に示すような断面門型とし、底面に打設するコンクリートによって勾配を自由に形成できる勾配自由型の門型側溝２、図３のように内孔３０を有する箱型側溝３の如きにおいて、その項面に形成された開口部１０の域内における側壁内面に図４および図５に１例を示すような止水板４を装脱するための嵌合部１１を対設し、該止水板４の底部に図６に示すような開口４０の面積を規定する脚部４１を突設して側溝内の流量を規制するものである。
【００１５】
前記した嵌合部１１は図示のように溝状とする場合のみならず、場合によっては部分的に保持作用する点状の突部でもよく、またブロック１〜３に凹入した溝部に代えて線状の突部を対設したものでもよい。その一例として図８のＵ型側溝１ａは図９や図１０に示すような下端あるいは途中に止水板４ａを係止する係止部５１を設けた金属質または合成樹脂質のコ型の嵌合部体１１ａを接着剤や連結金具で取り付けたものである。また止水板４には図４に示すように洩水を防止するためゴムまたは軟質樹脂製パッキン５０を接着またはビス等で取り付けると共に補強部材４４や装脱操作部４５などを設けるが、材質によって設けなかったり、位置を変えて設定できる。またその一側上部に固定化係止片４２が取付けられ、即ちその先端部が鋸歯状の係接部４３とされたものが軸支４７されたもので、軸支４７を中心として図６に示すように押し込むことにより係接部４３がブロック側壁の内面に押しつけ係止され、前記した開口４０部分における流水圧によっても止水板４の押し上げられることを阻止し止水板４の固定化を図るようになっている。
【００１６】
上記したところは止水板の材質を木材質、合成樹脂または空洞状金属材等の軽量部材を用いた時の浮き上り防止用であり、浮き上らないよう水より重くしてあれば設けなくても良い。なお止水板４には一般的には図６、７に示すように開閉蓋４８で閉塞されているが、適宜に図５に示すように開口して放流できる放水口４６が形成されている。しかし、取りはずしをひんぱんに行われるような場合には図１１に示すように付けなくてもよい。
【００１７】
何れにしても止水板４は図６に示すように水路中に設定され、その底部に放出先の河川等の時間流下許容流量に合わせて開口４０を形成し、降雨時許容量を越えた雨水を止水板で塞き止め側溝内に一時貯留し、降雨後徐々に流すので放流河川が増水して氾濫するなどの災害を防止できる。更にその上端には側溝ブロックの頂面開口部１０に施される蓋の底面との間に特別な異常増水時に対処する溢流部４９が形成され、異常降雨などによって増水したような特別の場合にも適度に溢流し得るようにされている。また既存の側溝水路への対処としては図１２に門型側溝２ａの設定について示すが、側壁内面に図１０の嵌合部体１１ａを対設し、図１１の止水板４ａを取り付けたもので、底部に開口４０上部に溢流部４９が形成され側溝内の流量を強制できる。
【００１８】
上記したような止水板４による止水状態は前記Ｕ型側溝１が路面に勾配のある条件下での設定については図１３に示し、また勾配自由型の門型側溝２については底部にコンクリート打設層６による勾配を形成した状態は図１４に示す如くであり、周辺部からの集水条件に即応せしめて上流部では開口４０を浅くし、下流に到るに従い大きい開口４０を形成する如く止水板４をセットし得るが場合によっては一様な開口４０として設定することができる。何れにしても自由水面は図示のように形成され、開口４０からの流出量が的確に制御される。図１４の場合においては側溝ブロックとして高さが順次大とされたものを下流側に用いることにより路面に勾配のない条件下においても下流部に到るに従って増大する水量に即応した開口４０が形成されることは図示の如くであり、止水板４の設定間隔としては各ブロック毎あるいは所定の止水板４のないブロックを介装したものの何れでもよく、この様に止水板の間隔を図１３、図１４に示す如く狭くして増やしたり、広くして減らしたり側溝内の貯留量を調整できる。
【００１９】
即ち、上記したような止水板４による流水量規制により降雨時などにおける増加水を水路内に貯え、下流領域における氾濫、洪水ないし浸入を適切に回避することができる。なお放水口４６における開閉蓋４８は止水板４を装脱するような場合に放水して上下の水圧条件を同一とすることにより容易に装脱せしめ、あるいは特別に土砂などで開口４０が閉塞化したような場合に止水板４を引き上げて清掃するようなことを容易とする。
【００２０】
図１５から図１７には上記したようなＵ型側溝１自体において外部との間に透水作用ないし通水作用が得られるようにしたＵ型側溝１ｂ、１ｃ、１ｄの側溝ブロックが示され、また図１８から図２０には自由勾配型の門型側溝２において同様の作用を得しめる門型側溝２ｂ、２ｃ、２ｄの側溝ブロックを示し、更に図２１には箱型側溝３について同じ作用を得しめるようにした箱型側溝３ａの側溝ブロックが示されている。即ち図１５、図１８および図２０と図２１のものは側溝の側壁に通孔７、７ａが配設された場合であり、また図１６、図１９および図２０のものは側壁に連通する空隙を有するポーラスコンクリート壁８を形成した場合であって、図１７のものは多孔パイプ９を取付けてより広範囲における通水を迅速に図るようにしたものである。
【００２１】
図２２には代表的に図１６に示したようなＵ型側溝１ｃが設定された状態を示したが、適宜に遮水シート１２を敷いた条件下において側溝ブロック１ｃの側方周辺に天然石材または建設廃材などの粒状材充填層１３を形成して側溝ブロック１ｃを設定流水することにより前述したようなポーラスコンクリート壁８または通孔７、７ａなどを介し、その外部充填層との間に降雨時には流入させ貯留し、降雨後空隙の中の貯留水を側溝内に流入させ、流下量を一定にして放流先の水位が許容量を超えることを防止し、広い範囲での貯水ないし流量調整作用を得しめる。特に前記したような止水板を設けて水位レベルを高くすることにより図２２に示すような遮水シート１２の用いられたそれなりの高い水位レベルに対しても適切な貯水作用を得しめる。
【００２２】
図２３と図２４には図２に示したような門型側溝２の底面に採用するのに適した底板５、５ａが示されており、図２３の底板５は円弧状内面１４を形成して流水による底面掃流性を良好としたものであり、また図２４の底板５ａはＶ形内面１５として泥砂などの停滞を縮減するようにしたものである。図２５には代表的に図２３に示した底板５を用いて側壁に図１８として示したような通孔７の段設された側溝ブロック２ｂを施工した態様が示されており、ブロック２ｂの両側壁は通孔７が３段に列設された高姿勢のものが用いられ粒状材充填層１３に対する貯留性を図２２より更に増大させ降雨時において粒状材充填層１３に充分流入せしめ、晴天時において徐々に放流せしめて安定した流量抑制を図る。
【００２３】
図２６には底面に開口部１６を形成すると共に側壁にも通孔７を配設した本発明によるＵ型側溝１ｅが示され、また図２７には底板５ｂとしても開口部１７を形成した構成が示されている。図２６のものは図２８として示すように施工され、粒状材充填層１３との間に土砂が流入して目詰まりを起こして機能が低下するのを防ぐため周囲に吸出防止材や防砂板等の透水シート１２ａで覆い、底面には下面の地盤に水が浸透するための自然に形成された水道をつぶさないようにするため１０cm程度の厚さの砂層２０を敷き並べてあるもので、止水板４で降雨時の流入水を塞き止めて通孔７から充填層１３の中に流入させ貯留して透水シート１２ａを介して土中に徐々に浸透させ得る。また晴天時には逆に放流して良い時期に充填層内の貯留水をはき出して次の降雨に備えることができる。前記の図２２および図２５の貯留に対し廻りの土中への浸透を兼ねているのでより安定的に流量抑制が図れる。
【００２４】
図２９は図１９に示したような側溝ブロック２ｃに図２７に示したような底板５ｂを用いた施工状態が示され、また図３０には図３の箱型側溝３の側面に通孔７を底面には開口部１８を形成した箱型側溝３ｂについて図２９と同様な施工状態が示されている。即ちこれら図２９、図３０のものにおいても粒状材充填層１３の如きとの間において適切な貯水および浸透作用が得られることは図２８などに示したところと同様である。
【００２５】
図３１には歩車道境界ブロック２１と結合して用いられるに適した自由勾配型の門型側溝２ｅが示され、またその施工状態は図３２に示す如くである。即ち門型側溝２ｅの頂面は図３２に示すように歩道側を低くした傾斜状となっており、そうした端部に係合段２２が形成されて上記ブロック２１の底部と係合設定されるが、斯うした門型側溝ブロック２ｅに嵌合部１１が形成されて止水板４が取付けられることにより該ブロック２ｅにおいても上述したような流量抑制をなすことができる。歩車道境界ブロック２１は門型ブロック２ｅの頂面と係合して実質的なＬ形ブロックを形成する。
【００２６】
図３３には土留タイプとしたＵ型側溝１ｆが示され、また図３４には門型タイプの側溝において土砂を埋め戻して使用する側面に通孔７を設定した門型側溝２ｆが、更に図３５には箱型側溝３において土留タイプとした側溝ブロック３ｃが示されている。即ち側溝ブロック１または２あるいは３の底部側方に支持底板２３を突設し、側溝ブロック１ｆ、２ｆ若しくは３ｃが土留作用をなすようにされたもので、側壁内面に嵌合部１１が形成され止水板４を上述したところと同様に設定することにより上述したような本発明の技術目的を有効に達成せしめることは明かである。
【００２７】
図３６には歩道３０の全域を利用して貯留あるいは浸透作用をなし得るようにした本発明の流量抑制設備が示されている。即ち歩道３０の左方側に土留を兼ねた側溝ブロック２ｆが、車道と歩道部の境界部に集水用の鋼製グレーチング５２が配置されたＬ形側溝ブロック１９が桝５３の上に設けられ、Ｌ型側溝ブロック１９において車道３１側からの雨水を受入れ、一定間隔で設けられたグレーチング５２で集水し桝５３から多孔パイプ９を介して門型側溝２ｆに流入させる。側溝ブロック２ｆにおいては上述したような止水板４を設定し、更に側溝ブロック２ｆと桝５３の間に多孔パイプで連結し周囲を一定厚さの粒状材充填層１３で覆い、土中に浸透させるため透水シート１２ａと砂層２０とで形成したもので、図示矢印のように水を止水板４で塞き止め、側溝ブロック２ｆおよび粒状材充填層１３の中に一時貯水すると共に歩道下の地中に浸透させ好ましい本発明の作用を達成する。
【００２８】
図３７と図３８には上述したような止水板４、４ａを取外して保管するのに適した設備が示されている。即ち嵌合部１１の設けられたブロック側壁の内面に止水板４を係着するための係着部３２、３２が対設されていて嵌合部１１から取外された止水板４を側壁内面にそって図３８に示すように取付ける如くされている。つまり止水板４は殊更に運搬などすることなしに現場自体において適切に格納され、使用する場合も取出して直ちに設定することができる。
【００２９】
図３９〜４１には止水板４の脚部４１についてその設定高さを可変調整するための機構が示してある。即ち、先ず図３９に示される脚部４１ａは止水板の下端部に対し装脱可能となっており、設定流下量に合わせて高さを変更するもので、このような高さを調整できる脚部は図４０に示すようなねじ込み構造３７とされた脚部４１ｂあるいは図４１に示すように溝部３９において脚部４１ｃを受入れ、しかも脚部４１に直角状として設けられた係片５４を係止溝３８に係止して止着するようにしたような構造のもので、多段に設けられた係止溝３８を適宜に選ぶことにより脚部４１の突出高さを適宜に可変するように成っており、格納時は折りたためるように形成されている。
【００３０】
即ち図３９〜４１の何れの方式によるとしても脚部４１の突出量を変え、図６などに示したような開口４０の面積を変更しそれぞれの場合に適合した流量抑制を可能とする。尚、嵌合部体１１ａを用いる時は、取り付け位置を変えたり、係止部５１を変更することで開口４０の面積を自在にでき、それぞれの場合に適合した流量抑制ができる。
【００３１】
上記したような本発明によるものは側溝ブロックの両側壁内面に止水板の両端と係合する嵌合部を対設し、それらの嵌合部に係合する止水板の底部に開口面積を規定する脚部を突設したり嵌合部体を取り付け止水板を係合することにより連設された側溝ブロック内を流れる水量を側溝ブロックの底面において適切に抑制することができ、また止水板で貯水することによって特に一定の流量を正確に規制せしめる。
【００３２】
なお止水板底部に突設された脚部の突出量を調整可能としたり、嵌合部体の取り付け位置を調整することにより流量抑制作用を種々に変化せしめて実施することを可能とし、それぞれの流水条件にマッチした抑制を図らしめる。
【００３３】
側溝ブロックの両側壁内面に止水板の両端と係合する嵌合部材を一体的に対設し、それらの嵌合部材に係合する止水板を底部に開口部を形成して設けたことにより従来からの既設側溝水路において本発明による流量抑制作用を的確に実現せしめる。
【００３４】
また、止水板を木材質、合成樹脂質または空洞状金属材などの軽量部材によって形成すると共に、浮上防止手段を設けたことによって比較的軽量で取扱い操作が容易であり、しかも水路内において安定した設定状態を確保させる。
【００３５】
更に、側溝ブロックの底面または側面の何れか一方または双方に通孔または開口部若しくはポーラスコンクリートなどによる通水層を形成して外部支持層との間で通水を図ったことにより側溝ブロック外においても貯水ないし浸透作用を得しめることが可能となり、流量抑制作用を広範囲に行わせる。
【００３６】
前記したような何れかの側溝ブロックを連設し、各ブロック毎または複数個のブロック毎に止水板を底部に開口面積規定条件下に設定したことによってそれぞれの流水条件に即応した流量抑制水路を形成する。
【００３７】
上述の如き側溝ブロックの底面または側壁の何れか一方または双方に通孔や開口部またはポーラスコンクリート層を形成し、ブロックの外側層との間において通水を図るようにしたことによって側溝ブロックの外側をも流水抑制目的に利用せしめて流量抑制効果を大きく拡大して得しめる。
【００３８】
【発明の効果】
上記したような本発明によるならばプレキャストコンクリート側溝においてその流水量を適切に制御し、集中降雨時などにおいて下流域における異常増水や氾濫を適切に解消緩和し得ると共に上流域に保水して潤いを与え、また定量的流水が維持されることから水路流水の利用性を向上し、更には斯うした流水の管理を容易且つ的確化すると共に、特別な敷地ないし巨大な設備なども必要とせず、殊更にコスト高を来すことがないなどの効果を有しており、工業的にその効果の大きい発明である。
【図面の簡単な説明】
【図１】本発明の適用されるＵ型側溝の１例を示した斜面図である。
【図２】本発明の適用される底面自由勾配型の門型側溝の１例を示した斜面図である。
【図３】本発明の適用される箱型側溝ブロックの１例を示した斜面図である。
【図４】本発明における止水板の１例を示した下流側から見た斜面図である。
【図５】図４に示したものの上流側から見た斜面図である。
【図６】図４、５に示した止水板を図１のＵ型側溝に採用した状態の上流側から見た正面図である。
【図７】図６に示したものの部分的な平面図である。
【図８】従来のＵ型側溝を用いて本発明を実施すべく止水板を嵌合させる嵌合部材を設定した斜面図である。
【図９】図８に示した嵌合部材の１例を示した斜面図である。
【図１０】図８に示した嵌合部材のもう１つの例を示した斜面図である。
【図１１】図９または図１０に示した嵌合部材に取り付ける止水板で本発明におけるもう１つの例を示した斜面図である。
【図１２】図１１の止水板を従来の自由勾配型の門型側溝に採用した状態の正面図である。
【図１３】Ｕ型側溝列に採用した本発明の流量抑制装置についての断面図で、両端部における端面図を併せて示したものである。
【図１４】門型側溝について実施した本発明の流量抑制装置に関する図１３と同様な説明図である。
【図１５】Ｕ型側溝において集水または排水機能を有せしめるようにしたものの１例の斜面図である。
【図１６】Ｕ型側溝において集水または排水機能を有せしめるようにしたものの別の例の斜面図である。
【図１７】Ｕ型側溝において集水または排水機能を有せしめるようにしたものの更に別の例の斜面図である。
【図１８】門型側溝に関し集水または排水機能を有するようにしたものの１例の斜面図である。
【図１９】門型側溝に関し集水または排水機能を有するようにしたものの別の例の斜面図である。
【図２０】門型側溝に関し集水または排水機能を有するようにしたものの更に別の例の斜面図である。
【図２１】本発明による箱型ブロックに集水または排水機能を有するようにしたものの斜面図である。
【図２２】図１６に示したものを代表的に採用してその施工状態を示した断面図である。
【図２３】図１８〜図２０に示したような門型側溝に関し採用するようにしたプレキャスト底板の１例を示した斜面図である。
【図２４】図１８〜図２０に示したような門型側溝に関し採用するようにしたプレキャスト底板の別の１例を示した斜面図である。
【図２５】図１８に示した門型側溝に図２３の底板を用いて構成した施工状態の断面図である。
【図２６】底面に開口部を設けた本発明によるＵ型側溝の斜面図である。
【図２７】開口部を配設した門型側溝用底板の斜面図である。
【図２８】図２６に示したものの施工状態を示した断面図である。
【図２９】図１９に示した門型側溝ブロックの底面に図２７に示したプレキャスト底板を施した場合の施工状態についての断面図である。
【図３０】図３に示した箱型側溝ブロックの底面に開口部を形成し図２９のものと同様に施工した状態の断面図である。
【図３１】頂面を傾斜状に形成すると共にその低位に係合段部を設けて歩車道境界ブロックをセットするようにした門型ブロックの斜面図である。
【図３２】図３１に示したものの施工状態を示した断面図である。
【図３３】土留タイプとした本発明によるＵ型側溝の斜面図である。
【図３４】土留タイプとした本発明による門型側溝および箱型側溝の斜面図の１例である。
【図３５】土留タイプとした本発明による門型側溝および箱型側溝の斜面図の別の例である。
【図３６】図３４に示したものとＬ型側溝と桝部分とを図１７に示した多孔パイプで連結せしめた施工状態の断面図である。
【図３７】止水板を保管するようにした側溝の斜面図である。
【図３８】その要部についての平面図である。
【図３９】止水板の設定高さを可変するようにした場合の斜面図である。
【図４０】その高さ調整操作機構例を示した断面図である。
【図４１】図３９に示したものの部分的な斜面図である。
【符号の説明】
１、１ａ、１ｂ、１ｃ、１ｄ、１ｅ、１ｆ  Ｕ型側溝
２、２ａ、２ｂ、２ｃ、２ｄ、２ｅ、２ｆ  門型側溝
３、３ａ、３ｂ、３ｃ  箱型側溝
４、４ａ  止水板
５、５ａ、５ｂ  底板
６  コンクリート打設層
７、７ａ  通孔
８  ポーラスコンクリート壁
９  多孔パイプ
１０  頂面開口部
１１  嵌合部
１１ａ  嵌合部体
１２  遮水シート
１２ａ  透水シート
１３  粒状材充填層
１４  円弧状内面
１５  Ｖ形内面
１６  開口部
１７  開口部
１８  開口部
１９  Ｌ型側溝ブロック
２０  砂層
２１  歩車道境界ブロック
２２  係合段
２３  支持底板
３０  歩道
３１  車道
３２  係着部
３７  ねじ込み構造
３８  係止溝
３９  溝部
４０  開口部
４１、４１ａ、４１ｂ、４１ｃ  脚部
４２  固定化係止片
４３  鋸歯状係接部
４４  補強部材
４５  装脱操作部
４６  放水口
４７  軸支部
４８  開閉蓋
４９  溢流部
５０  パッキン
５１  係止部
５２  鋼製グレーチング
５３  桝
５４  係片
【図１】
0003861168.tif 000002
【図２】
0003861168.tif 000003
【図３】
0003861168.tif 000004
【図４】
0003861168.tif 000005
【図５】
0003861168.tif 000006
【図６】
0003861168.tif 000007
【図７】
0003861168.tif 000008
【図８】
0003861168.tif 000009
【図９】
0003861168.tif 000010
【図１０】
0003861168.tif 000011
【図１１】
0003861168.tif 000012
【図１２】
0003861168.tif 000013
【図１３】
0003861168.tif 000014
【図１４】
0003861168.tif 000015
【図１５】
0003861168.tif 000016
【図１６】
0003861168.tif 000017
【図１７】
0003861168.tif 000018
【図１８】
0003861168.tif 000019
【図１９】
0003861168.tif 000020
【図２０】
0003861168.tif 000021
【図２１】
0003861168.tif 000022
【図２２】
0003861168.tif 000023
【図２３】
0003861168.tif 000024
【図２４】
0003861168.tif 000025
【図２５】
0003861168.tif 000026
【図２６】
0003861168.tif 000027
【図２７】
0003861168.tif 000028
【図２８】
0003861168.tif 000029
【図２９】
0003861168.tif 000030
【図３０】
0003861168.tif 000031
【図３１】
0003861168.tif 000032
【図３２】
0003861168.tif 000033
【図３３】
0003861168.tif 000034
【図３４】
0003861168.tif 000035
【図３５】
0003861168.tif 000036
【図３６】
0003861168.tif 000037
【図３７】
0003861168.tif 000038
【図３８】
0003861168.tif 000039
【図３９】
0003861168.tif 000040
【図４０】
0003861168.tif 000041
【図４１】
0003861168.tif 000042